(57)【要約】      （修正有）【課題】ルーバー専用リモコンによるルーバーの制御に対し有効／無効の設定を行うことができる空気調和機を提供する。【解決手段】室内の空気を吸引して空調し複数の吹出口４ａ〜４ｄから空調した空気を室内に吹き出す室内機１Ａ、１Ｂ、１Ｃと、室内機１Ａ、１Ｂ、１Ｃ毎に設けられた複数の吹出口４ａ〜４ｄにそれぞれ対応して設けられ、室内機１Ａ、１Ｂ、１Ｃ毎の複数の吹出口４ａ〜４ｄのうち同一方向に位置する吹出口のルーバー３ａ〜３ｄの制御を個別に指示する複数のルーバー専用リモコンと、室内機１Ａ、１Ｂ、１Ｃ毎の複数の吹出口４ａ〜４ｄに対して、ルーバー３ａ〜３ｄの制御の有効あるいは無効を設定するワイヤードリモコンとを備え、室内機１Ａ、１Ｂ、１Ｃは、ワイヤードリモコンにより有効と設定されたルーバー３ａ〜３ｄのみを、ルーバー専用リモコンからの指示に基づいて制御する。【選択図】図２
2015135201.tif 000002
【特許請求の範囲】
【請求項１】
室外機と、
該室外機に冷媒配管を介して接続され、室内の空気を吸引して空調し複数の吹出口から空調した空気を室内に吹き出す複数の室内機と、
前記室内機毎に設けられた複数の吹出口にそれぞれ対応して設けられ、前記室内機毎の複数の吹出口のうち同一方向に位置する吹出口のルーバーの制御を個別に指示する複数の第１のリモコンと、
前記室内機毎の複数の吹出口に対して、前記ルーバーの制御の有効あるいは無効を設定する第２のリモコンとを備え、
前記室内機は、前記第２のリモコンにより有効と設定されたルーバーのみを、前記第１のリモコンからの指示に基づいて制御することを特徴とする空気調和機。
【請求項２】
前記第２のリモコンは、表示部を有し、前記室内機毎の複数の吹出口に対して設定したルーバーの制御の有効あるいは無効を前記表示部に表示することを特徴とする請求項１記載の空気調和機。
【請求項３】
前記第１のリモコンは、内部に少なくとも２つのディップスイッチを有し、前記ディップスイッチのＯＮ・ＯＦＦの組み合わせにより、前記ルーバーを制御する前記吹出口を指定することを特徴とする請求項１又は２記載の空気調和機。
【請求項４】
前記室内機の吹出口毎に、当該吹出口を識別する識別マークがそれぞれ設けられ、
前記複数の第１のリモコンに、対応する前記吹出口と同じ識別マークが設けられていることを特徴とする請求項１〜３の何れか１項に記載の空気調和機。
【発明の詳細な説明】
【技術分野】
【０００１】
本発明は、空気調和機の室内機に係わり、更に詳しくは、その室内機の吹出口に設けられた複数のルーバーの向きを制御する空気調和機に関するものである。
【背景技術】
【０００２】
従来、天井面に組み込んで設けられた空気調和機の室内機は、室内から空気を吸い込む吸込口と、吸い込まれた空気を熱交換する熱交換器と、吸込口から熱交換器に空気を誘導する送風装置と、吸込口の周囲に設けられ熱交換された空気を室内に吹き出す吹出口と、その吹出口に設けられ、吹き出される空気の風向を制御するルーバーと、ルーバーを制御する制御装置と、空気調和機の運転モードを選択するルーバー設定用リモコンとを備えている。前述のルーバー専用リモコンにより、室内機のルーバーを個別に制御している（例えば、特許文献１参照）。
【０００３】
また、室内空間に向けて空調空気を吹出すための複数の吹出口と、複数の吹出口にそれぞれ配置され、空調空気の吹出方向を個別に変更可能な複数のルーバーとを有する室内機がある。この室外機は、複数の吹出口の近傍または複数のルーバーには、互いに異なる標識部がそれぞれ設けられ、各吹出口と各ルーバーの識別を容易にできるようにしている（例えば、特許文献２参照）。
【先行技術文献】
【特許文献】
【０００４】
【特許文献１】特開２０１１−５２９３２号公報（要約）
【特許文献２】特開２０１１−９４９２４号公報（要約）
【発明の概要】
【発明が解決しようとする課題】
【０００５】
前述した従来の技術では、ルーバー専用リモコンによるルーバーの制御に対しての有効／無効の設定が無かった。そのため、例えば、複数の室内機に対して同じ吹出口を制御する場合、ユニット管理者にとって風向を変更したくない室内機があったとしても、その吹出口のルーバーも制御されてしまう課題がある。
【０００６】
本発明は、前記のような課題を解決するためになされたもので、ルーバー専用リモコンによるルーバーの制御に対し有効／無効の設定を行うことができる空気調和機を得ることを目的とする。
【課題を解決するための手段】
【０００７】
本発明に係る空気調和機は、室外機と、室外機に冷媒配管を介して接続され、室内の空気を吸引して空調し複数の吹出口から空調した空気を室内に吹き出す複数の室内機と、室内機毎に設けられた複数の吹出口にそれぞれ対応して設けられ、室内機毎の複数の吹出口のうち同一方向に位置する吹出口のルーバーの制御を個別に指示する複数の第１のリモコンと、室内機毎の複数の吹出口に対して、ルーバーの制御の有効あるいは無効を設定する第２のリモコンとを備え、室内機は、第２のリモコンにより有効と設定されたルーバーのみを、第１のリモコンからの指示に基づいて制御する。
【発明の効果】
【０００８】
本発明によれば、第２のリモコンによって、第１のリモコンにより制御されるルーバーに対し有効／無効の何れかを設定できるようにしたので、室内機毎の複数の吹出口のうち、風向の変更を希望する吹出口のルーバーのみを制御でき、室内の空調をより正確に調節することができる。
【図面の簡単な説明】
【０００９】
【図１】実施の形態に係る空気調和機の概略を示すシステム構成図。
【図２】図１の室内機をＡ−Ａ方向から見て示す平面図。
【図３】図１のワイヤードリモコンを拡大して示す正面図。
【図４】図３のワイヤードリモコンの表示部に表示された室内機毎のルーバーの制御状態を示す画面図。
【図５】図１の室内機に設けられた吹出口毎のルーバー専用リモコンを示す正面図。
【図６】実施の形態に係る空気調和機の動作例を示すシステム構成図。
【図７】実施の形態の変形例を示す蓋を取り外した状態のルーバー専用リモコンの正面図。
【図８】図７のルーバー専用リモコンの操作例を示す図。
【発明を実施するための形態】
【００１０】
図１は実施の形態に係る空気調和機の概略を示すシステム構成図である。
実施の形態に係る空気調和機は、天井面５０に組み込まれた複数の室内機１Ａ、１Ｂ、１Ｃと、本空気調和機の運転を通信線２０を介して室内機１Ａ、１Ｂ、１Ｃに指示するワイヤードリモコン８（第２のリモコン）と、各室内機１Ａ、１Ｂ、１Ｃの吹出口にそれぞれ設けられたルーバーを制御するルーバー専用リモコン９（第１のリモコン）と、各室内機１Ａ、１Ｂ、１Ｃに冷媒配管を介して接続された室外機とで構成されている。
【００１１】
図２は図１の室内機をＡ−Ａ方向から見て示す平面図である。
前述した室内機１Ａ、１Ｂ、１Ｃは、例えば、四辺形形状の化粧パネルが天井面５０から露出して設けられており、その化粧パネルの中央に化粧パネルと同じ形状に形成された吸込口６と、吸込口６の周囲に配置された例えば４つの吹出口４ａ、４ｂ、４ｃ、４ｄと、化粧パネルのコーナーパネル５ａ、５ｂ、５ｃ、５ｄに、吹出口４ａ〜４ｄ毎に配置された識別マーク２ａ、２ｂ、２ｃ、２ｄと、コーナーパネル５ｄに設けられた例えば受光部１６とを備えている。
【００１２】
吹出口４ａ〜４ｄには、床面に対して上下方向に風向を可変するルーバー３ａ、３ｂ、３ｃ、３ｄがそれぞれ設けられている。各ルーバー３ａ〜３ｄは、ルーバー専用リモコン９からの指示に基づいて、スイング運転したり、段階的に風向を可変する。識別マーク２ａ〜２ｄは、ユーザーに対して吹出口４ａ〜４ｄを識別させるためのものである。例えば、吹出口４ａに対しては１つの識別マーク２ａがコーナーパネル５ａ、５ｄにそれぞれ配置され、吹出口４ｂに対しては２つの識別マーク２ｂがコーナーパネル５ａ、５ｂにそれぞれ配置されている。また、吹出口４ｃに対しては３つの識別マーク２ｃがコーナーパネル５ｂ、５ｃにそれぞれ配置され、吹出口４ｄに対しては４つの識別マーク２ｄがコーナーパネル５ｃ、５ｄにそれぞれ配置されている。
【００１３】
また、室内機１Ａ、１Ｂ、１Ｃの内部には、吸込口６から室内の空気を吸引して各吹出口４ａ〜４ｄから吹き出す送風装置と、この送風装置と各吹出口４ａ〜４ｄとの間に設置され、吸込口６から吸引される室内の空気を熱交換（空調）する熱交換器とが設けられている。
【００１４】
図３は図１のワイヤードリモコンを拡大して示す正面図、図４は図３のワイヤードリモコンの表示部に表示された室内機毎のルーバーの制御状態を示す画面図である。
図３に示すワイヤードリモコン８は、液晶表示部７を備え、空気調和機の運転・停止の指示、冷房・暖房等の運転モードの指示、温度・風向・風量等の指示など様々な設定をするキースイッチを有している。キースイッチにより設定された情報（指示）は、ワイヤードリモコン８から各室内機１Ａ、１Ｂ、１Ｃに通信線２０を介して送信される。
【００１５】
また、このワイヤードリモコン８は、キースイッチの操作に基づいて、室内機１Ａ、１Ｂ、１Ｃ毎にかつ吹出口４ａ〜４ｄ毎に、風向の変更の有効／無効の何れかに設定することができる。この情報は、各室内機１Ａ、１Ｂ、１Ｃに通信線２０を介して送信されると共に、液晶表示部７に表示される。例えば図４に示す画面では、室内機１Ａに対しては、吹出口４ａ〜４ｄ毎に設定された風向に対し全て無効が設定されており、室内機１Ｂに対しては、吹出口４ａ〜４ｄ毎に設定された風向に対し全て有効が設定されており、室内機１Ｃに対しては、吹出口４ａ、４ｃに設定された風向に対し有効が設定され、吹出口４ｂ、４ｄに設定された風向に対し無効が設定されている。
【００１６】
前述の風向は、例えば４段階に分けられている。風向１は、ルーバー３ａ〜３ｄを床面に対し水平にする指示であり、風向２は、ルーバー３ａ〜３ｄを床面に対し斜め下方に傾ける指示であり、風向３は、ルーバー３ａ〜３ｄを更に傾ける指示であり、風向４は、ルーバー３ａ〜３ｄを床面に対し垂直にする指示である。
【００１７】
図５は図１の室内機に設けられた吹出口毎のルーバー専用リモコンを示す正面図である。
ルーバー専用リモコン９は、図５に示すように、室内機１Ａ、１Ｂ、１Ｃに設けられた吹出口４ａ〜４ｄ毎に４つ用意されている。この４つのルーバー専用リモコン９ａ、９ｂ、９ｃ、９ｄには、ルーバー３ａ〜３ｄの制御を指示する風向調節ボタン１０と、風向調節ボタン１０の操作に基づいて赤外線信号を受光部１６に送信する送信部１１とが設けられている。
【００１８】
風向調節ボタン１０は、ルーバー３ａ〜３ｄのスイング運転、風向（風向１〜４）の変更を指示するためのスイッチで、その風向調節ボタン１０が押される毎に、前述のスイング運転、風向の変更を指示する赤外線信号が順次に送信部１１から出力される。なお、風向４が選択された後に、更に風向調節ボタン１０が押された場合には、最初のスイング運転を指示する赤外線信号が送信部１１から出力される。
【００１９】
また、ルーバー専用リモコン９ａには、１つの識別マーク１２ａが設けられ、ルーバー専用リモコン９ｂには、２つの識別マーク１２ｂが設けられ、ルーバー専用リモコン９ｃには、３つの識別マーク１２ｃが設けられ、ルーバー専用リモコン９ｄには、４つの識別マーク１２ｄが設けられている。識別マーク１２ａ〜１２ｄによって、ルーバー専用リモコン９ａ〜９ｄが何れの吹出口専用のリモコンかが識別できる。
【００２０】
前記のように構成された空気調和機において、図４に示す画面に基づいて吹出口４ａ〜４ｄのルーバー３ａ〜３ｄを可変するときの動作について、図４及び図６を用いて説明する。
図６は実施の形態に係る空気調和機の動作例を示すシステム構成図である。
室内機１Ａ〜１Ｃに対して、１つの識別マーク２ａが設けられた吹出口４ａの風向を変更する場合、ルーバー専用リモコン９ａを用いて行う。例えば、そのルーバー専用リモコン９ａの風向調節ボタン１０の操作により風向３を指示すると、その指示に基づく赤外線信号が送信部１１から送信され、室内機１Ａ〜１Ｃの各受光部１６に受光される。この場合、室内機１Ａは、ワイヤードリモコン８によって、吹出口４ａが「無効」に設定されているため、赤外線信号の受光を無視する。一方、室内機１Ｂは、吹出口４ａに対し「有効」と設定されているため、受光された赤外線信号に応じて、吹出口４ａのルーバー３ａの風向を風向１から風向３に変更する。室内機１Ｃは、吹出口４ａに対し「有効」と設定されているため、受光された赤外線信号に応じて、吹出口４ａのルーバー３ａの風向を風向２から風向３に変更する。
【００２１】
また、室内機１Ａ〜１Ｃに対して、２つの識別マーク２ｂが設けられた吹出口４ｂの風向を変更する場合、ルーバー専用リモコン９ｂを用いて行う。例えば、そのルーバー専用リモコン９ｂの風向調節ボタン１０の操作により風向３を指示すると、その指示に基づく赤外線信号が送信部１１から送信され、室内機１Ａ〜１Ｃの各受光部１６に受光される。この場合、室内機１Ａは、前述したように吹出口４ｂが「無効」に設定されているため、赤外線信号の受光を無視する。一方、室内機１Ｂは、吹出口４ｂに対し「有効」と設定されているため、受光された赤外線信号に応じて、吹出口４ｂのルーバー３ｂの風向を風向２から風向３に変更する。室内機１Ｃは、吹出口４ｂに対して「無効」が設定されているため、赤外線信号の受光を無視する。
【００２２】
また、室内機１Ａ〜１Ｃに対して、３つの識別マーク２ｃが設けられた吹出口４ｃの風向を変更する場合、ルーバー専用リモコン９ｃを用いて行う。例えば、そのルーバー専用リモコン９ｃの風向調節ボタン１０の操作により風向３を指示すると、その指示に基づく赤外線信号が送信部１１から送信され、室内機１Ａ〜１Ｃの各受光部１６に受光される。この場合、室内機１Ａは、前述したように吹出口４ｃが「無効」に設定されているため、赤外線信号の受光を無視する。一方、室内機１Ｂは、吹出口４ｂに対し「有効」と設定されているが、吹出口４ｃのルーバー３ｃの風向が風向３であるため、その状態を維持する。室内機１Ｃは、吹出口４ｂに対し「有効」と設定されているため、受光された赤外線信号に応じて、吹出口４ｃのルーバー３ｃの風向を風向１から風向３に変更する。
【００２３】
更に、室内機１Ａ〜１Ｃに対して、４つの識別マーク２ｄが設けられた吹出口４ｄの風向を変更する場合、ルーバー専用リモコン９ｄを用いて行う。例えば、そのルーバー専用リモコン９ｄの風向調節ボタン１０の操作により風向３を指示すると、その指示に基づく赤外線信号が送信部１１から送信され、室内機１Ａ〜１Ｃの各受光部１６に受光される。この場合、室内機１Ａは、前述したように吹出口４ｄが「無効」に設定されているため、赤外線信号の受光を無視する。一方、室内機１Ｂは、吹出口４ｄのルーバー３ｄに対し「有効」と設定されているため、受光された赤外線信号に応じて、ルーバー３ｄの風向を風向４から風向３に変更する。室内機１Ｃは、吹出口４ｄに対して「無効」が設定されているため、赤外線信号の受光を無視する。
【００２４】
以上のように実施の形態によれば、ワイヤードリモコン８によって、ルーバー専用リモコン９により制御される各ルーバー３ａ〜３ｄに対し、有効／無効の何れかを設定できるようにしたので、室内機１Ａ、１Ｂ、１Ｃの各吹出口４ａ〜４ｄのうち、風向の変更を希望する吹出口４ａ〜４ｄのルーバー３ａ〜３ｄのみを制御でき、室内の空調をより正確に調節することができる。
【００２５】
なお、実施の形態では、室内機１Ａ〜１Ｃの吹出口４ａ〜４ｄ毎にルーバー専用リモコン９ａ〜９ｄを設けたが、ルーバー専用リモコン９ａ〜９ｄのうち例えばルーバー専用リモコン９ａが故障により使用できなくなった場合には、故障していない残りのルーバー専用リモコン９ｂ〜９ｄの中から１つのルーバー専用リモコンを用いて、故障したルーバー専用リモコン９ａに代えて、室内機１Ａ、１Ｂ、１Ｃの吹出口４ａの風向を変更できるようにしてもよい。
【００２６】
図７は実施の形態の変形例を示すルーバー専用リモコンの操作部分の正面図、図８は図７のルーバー専用リモコンの操作例を示す図である。なお、図７に示すルーバー専用リモコンは蓋を外した状態を示している。
図７に示すルーバー専用リモコン９（９ａ〜９ｄ）は、蓋１４を取り外すことで、操作部１３を操作できる構成となっている。その操作部１３には、例えば２つのディップスイッチ１３ａ、１３ｂが設けられている。２つのディップスイッチ１３ａ、１３ｂのＯＮ／ＯＦＦの組合によって、吹出口４ａ〜４ｄを選択する。
【００２７】
例えば、吹出口４ａ（１つの識別マーク２ａ）に対しては、両方のディップスイッチ１３ａ、１３ｂをＯＦＦとし、吹出口４ｂ（２つの識別マーク２ｂ）に対しては、一方のディップスイッチ１３ａをＯＦＦし、他方のディップスイッチ１３ｂをＯＮする。また、吹出口４ｃ（３つの識別マーク２ｃ）に対しては、一方のディップスイッチ１３ａをＯＮし、他方のディップスイッチ１３ｂをＯＦＦし、吹出口４ｄ（４つの識別マーク２ｄ）に対しては、両方のディップスイッチ１３ａ、１３ｂをＯＮする。
【００２８】
つまり、ルーバー専用リモコン９ｂの両方のディップスイッチ１３ａ、１３ｂをＯＦＦにして、そのルーバー専用リモコン９ｂの風向調節ボタン１０を操作（ＯＮ操作）することにより、吹出口４ａの各ルーバー３ａを制御できる。
【符号の説明】
【００２９】
１Ａ、１Ｂ、１Ｃ  室内機、２ａ〜２ｄ  識別マーク、３ａ〜３ｄ  ルーバー、４ａ〜４ｄ  吹出口、５ａ〜５ｄ  コーナーパネル、６  吸込口、7  液晶表示部、８  ワイヤードリモコン、９（９ａ〜９ｄ）  ルーバー専用リモコン、１０  風向調節ボタン、１１  送信部、１２ａ〜１２ｄ  識別マーク、１３  操作部、１３ａ、１３ｂ  ディップスイッチ、１４  蓋、１６  受光部、２０  通信線、５０  天井面。
【図１】
2015135201.tif 000003
【図２】
2015135201.tif 000004
【図３】
2015135201.tif 000005
【図４】
2015135201.tif 000006
【図５】
2015135201.tif 000007
【図６】
2015135201.tif 000008
【図７】
2015135201.tif 000009
【図８】
2015135201.tif 000010